(57)【要約】【課題】追加的な多くの部品を使うこと無く且つ座の取り付け自体に必要な組み立て工程と同時に座の回動に対して抵抗を発揮する仕組みを組み込むことができるようにする。【解決手段】座１の裏面側に形成される回動軸受部２０に、回動支軸５と着脱可能に係合する係合爪部２２が設けられると共に、回動軸受部２０と組み合わせられて回動支軸５に対して座１を回動可能に取り付ける結合部材３０に、回動支軸５の表面へと押し付けられて抵抗を発揮する摺動当接部３５が形成されるようにした。【選択図】図１３
2020062353.tif 000002
【特許請求の範囲】
【請求項１】
座の裏面側に形成される回動軸受部に、回動支軸と着脱可能に係合する係合爪部が設けられると共に、前記回動軸受部と組み合わせられて前記回動支軸に対して前記座を回動可能に取り付ける結合部材に、前記回動支軸の表面へと押し付けられて抵抗を発揮する摺動当接部が形成されることを特徴とする座の回動部構造。
【請求項２】
前記摺動当接部がリブ状に形成されることを特徴とする請求項１記載の座の回動部構造。
【請求項３】
前記結合部材に設けられて前記回動軸受部に設けられる嵌合穴部に嵌合する凸部と、前記摺動当接部と、前記回動軸受部と前記結合部材とを結合するためのねじ穴とが前後方向に沿って並んで配設されることを特徴とする請求項１記載の座の回動部構造。
【請求項４】
請求項１乃至３のうちのいずれか一つに記載の座の回動部構造が適用されて回動可能に取り付けられている座を備えることを特徴とする椅子。
【請求項５】
左右二本の前脚及び左右二本の後脚を備え、前記前脚同士の離間幅が前記後脚同士の離間幅よりも広く、前記座を回動させて跳ね上げ位置に保持した状態で同一構造を成す他の椅子と水平方向にスタッキングし得るように構成されていることを特徴とする請求項４記載の椅子。
【発明の詳細な説明】
【技術分野】
【０００１】
本発明は、座の回動部構造及び椅子に関する。さらに詳述すると、本発明は、跳ね上げ式の座の回動機構として適用して好適な構造、及び、そのような構造が適用された構成を含む椅子に関する。
【背景技術】
【０００２】
従来から、椅子の座を水平な使用位置から起立する跳ね上げ位置へと回動させて跳ね上げることが可能である椅子が存在する（特許文献１）。
【先行技術文献】
【特許文献】
【０００３】
【特許文献１】特開２００３−０８８４４２号公報
【発明の概要】
【発明が解決しようとする課題】
【０００４】
しかしながら、座が回動する際に抵抗が発揮されない構造である場合には、座が抵抗なく容易に回動するようになり、起立して垂直姿勢にある座が使用者が意図していないにも拘わらず不意に倒れることも考えられ、座の回動を含めた椅子の使用の快適性が損なわれてしまうという問題がある。さらに、起立して垂直姿勢にある座が不意に倒れた場合には、座を支えるフレームと座との間などに指を挟んでしまう危険性を伴うという問題がある。
【０００５】
また、座を回動させるための軸受部には大きな力が掛かると共に回動動作が繰り返されるために部材としての疲弊や損耗の進行も早いと考えられ、座の回動機構としての健全性や座が回動する際の適当な抵抗の発揮を維持するために軸受部のみの交換が容易であるようにすることは有用である。
【０００６】
そこで、本発明は、追加的な部品を使うこと無く且つ座の取り付け自体に必要な組み立て工程と同時に座の回動に対して抵抗を発揮する仕組みを組み込むことができる座の回動部構造、及び、そのような座の回動部構造が適用された構成を含む椅子を提供することを目的とする。
【課題を解決するための手段】
【０００７】
かかる目的を達成するため、本発明の座の回動部構造は、座の裏面側に形成される回動軸受部に、回動支軸と着脱可能に係合する係合爪部が設けられると共に、回動軸受部と組み合わせられて回動支軸に対して座を回動可能に取り付ける結合部材に、回動支軸の表面へと押し付けられて抵抗を発揮する摺動当接部が形成されるようにしている。
【０００８】
したがって、この座の回動部構造によると、座を取り付けるための結合部材に抵抗を発揮する摺動当接部が形成されるようにしているので、追加的な部品を使うこと無く且つ座の取り付け自体に必要な組み立て工程と同時に座の回動に対して抵抗を発揮する仕組みが組み込まれる。
【０００９】
本発明の座の回動部構造は、摺動当接部がリブ状に形成されるようにしても良い。この場合には、摺動当接部によって発揮される抵抗の大きさを調節し易いものとして摺動当接部が構成される。
【００１０】
また、本発明の座の回動部構造は、結合部材に設けられて回動軸受部に設けられる嵌合穴部に嵌合する凸部と、摺動当接部と、回動軸受部と結合部材とを結合するためのねじ穴とが前後方向に沿って並んで配設されるようにしても良い。この場合には、ねじが最後までねじ込まれて締め付けられた状態において凸部とねじとに挟まれる摺動当接部へと働く拘束力が安定するので回動支軸への摺動当接部の押し付けによって発揮される抵抗力の振れ幅が無く若しくは殆ど無く、予定の抵抗力が正確に発揮される。
【００１１】
また、本発明の椅子は、上述の座の回動部構造が適用されて表皮材が座シェルへと取り付けられている座を備えるようにしている。したがって、この椅子によると、上述の座の回動部構造の作用が奏される椅子が実現される。
【００１２】
本発明の椅子は、左右二本の前脚及び左右二本の後脚を備え、前脚同士の離間幅が後脚同士の離間幅よりも広く、座を回動させて跳ね上げ位置に保持した状態で同一構造を成す他の椅子と水平方向にスタッキングし得るように構成されるようにしても良い。
【発明の効果】
【００１３】
本発明の座の回動部構造や椅子によれば、追加的な部品を使うこと無く且つ座の取り付け自体に必要な組み立て工程と同時に座の回動に対して抵抗を発揮する仕組みを組み込むことができるので、座の組み立ての効率化を図り、座の回動部構造としての有用性や汎用性の向上を図ることが可能になる。
【００１４】
本発明の座の回動部構造や椅子は、摺動当接部がリブ状に形成されるようにした場合には、摺動当接部によって発揮される抵抗の大きさを調節し易いものとして摺動当接部を構成することができるので、抵抗の発揮に関係する設計を容易にして簡易化を図り、座の回動部構造としての有用性や汎用性の向上を図ることが可能になる。
【００１５】
本発明の座の回動部構造や椅子は、嵌合する凸部と摺動当接部とねじ穴とが前後方向に沿って並んで配設されるようにした場合には、予定の抵抗力を正確に発揮することができるので、椅子を使用する際の快適性の向上が可能になると共に座の回動部構造としての有用性や信頼性の向上を図ることが可能になる。
【図面の簡単な説明】
【００１６】
【図１】本発明に係る座の回動部構造の実施形態の一例を含む椅子を示す正面図で、座が使用位置にある状態を示す。
【図２】図１の椅子の側面図である。
【図３】図１の椅子の左前方下方斜視図である。
【図４】図１の椅子の座が跳ね上げ位置にある状態でスタッキング状態を示す側面図である。
【図５】図１の椅子の座が跳ね上げ位置にある状態でスタッキング状態を示す左前方上方斜視図である。
【図６】座板の左右方向に沿う縦断面図である。
【図７】座板の前後方向に沿う縦断面図である。
【図８】表皮材の底面図である。
【図９】表皮材が取り付けられる際の状態を説明する座の底面図である。
【図１０】表皮材が取り付けられた状態を説明する座の前後方向に沿う縦断面図である。
【図１１】座板の側面図である。
【図１２】座板の左後方下方斜視図である。
【図１３】結合部材の左前方上方斜視図である。
【図１４】座板と結合部材とが組み合わされた状態の座板の前後方向に沿う縦断面図である。
【図１５】座板と結合部材とが組み合わされる状態を説明する図である。
【図１６】座板と結合部材とが組み合わされる状態を説明する図である。
【発明を実施するための形態】
【００１７】
以下、本発明の構成を図面に示す実施の形態の一例に基づいて詳細に説明する。本実施形態では、本発明に係る座の回動部構造の実施形態の一例が会議場などで使用され得る椅子の座の回動機構として適用される場合を例に挙げる。
【００１８】
図１乃至図１６に、本発明に係る座の回動部構造の実施形態の一例を含む椅子を示す。なお、本明細書において、前後左右の方向は着座者を中心に定められるものとし、「前」又は「前方」とは座において椅子及び当該椅子の座に座った着座者にとっての「前」又は「前向き」であり、「後(うしろ)」又は「後方」とは同様に椅子及び着座者にとっての「後ろ」又は「後向き」である。また、前後方向と水平面内において直交する方向が座において椅子及び着座者にとっての左右方向であり、椅子の幅方向である。さらに、「上」及び「下」は座において椅子及び着座者にとっての上及び下であり、鉛直面内の上と下である。
【００１９】
（全体構成）
本実施形態の座の構造が適用されている椅子は、金属フレームを主体に構成される脚フレーム２（具体的には、左右二本の前脚フレーム２Ａ，２Ａ並びに左右二本の後脚フレーム２Ｂ，２Ｂ）と、脚フレーム２の上端に支持される左右一対の肘掛け部３，３と、左右の後脚フレーム２Ｂ，２Ｂの上端に支持される背凭れ４と、脚フレーム２に支持される回動支軸５と、回動支軸５を介して使用位置と跳ね上げ位置との間で回動可能に支持される座１とを備える。
【００２０】
本実施形態の座の構造が適用されている椅子は、また、座１を跳ね上げ位置に保持した状態で、同一構造を成す同じ種類の他の椅子と水平方向にスタッキング（「前後方向にネスティング」とも言う）し得るように構成される（図４，図５）。
【００２１】
座１は、座板１０と、当該座板１０の表(おもて)面側（別言すると、使用位置における上面側）に取り付けられて支持されるクッション部材１２と、当該クッション部材１２の表面を被覆するための表皮材１３（図１乃至図５では図示していない）とを有する。
【００２２】
本発明の説明では、座板１０について、座１が使用位置であるときの姿勢（図１乃至図３）を基準として、使用位置の姿勢において上面になる面を「表(おもて)面」と呼ぶと共に下面になる面を「裏面」と呼ぶ。
【００２３】
脚フレーム２は、左右二本の前脚フレーム２Ａ，２Ａと左右二本の後脚フレーム２Ｂ，２Ｂとの四本のフレームによって構成される。
【００２４】
左右の前脚フレーム２Ａ，２Ａは、金属製の丸型のパイプ材によって形成されて上端側が下端側よりも後ろ側に位置するように若干後傾した姿勢で配設され、下端にキャスタ２ｃを備える。
【００２５】
左右の後脚フレーム２Ｂ，２Ｂは、金属製の丸型のパイプ材によって形成されて上端側が下端側よりも前側に位置するように若干前傾した姿勢で配設され、下端にキャスタ２ｃを備える。
【００２６】
椅子同士の水平方向におけるスタッキング（別言すると、前後方向におけるネスティング）が可能であるようにするため、左の前脚フレーム２Ａと右の前脚フレーム２Ａとの正面視における離間幅は、左の後脚フレーム２Ｂと右の後脚フレーム２Ｂとの正面視における離間幅よりも広くなるように調節される。
【００２７】
各脚フレーム２Ａ，２Ｂの上部は、肘掛け部３及び背凭れ４を支持するための支持部として機能する。
【００２８】
図に示す例では、肘掛け部３と背凭れ４とが、樹脂により、左右の肘掛け部３，３各々の後端と背凭れ４の左右両端それぞれの下端部とが連接して一体のものとして形成される。
【００２９】
また、左右の肘掛け部３，３各々の前端から連続／連接して前脚連結部３ａ，３ａが一体のものとして形成され、さらに、背凭れ４の左右両端それぞれの下端から連続／連接して後脚連結部４ａ，４ａが一体のものとして形成される。
【００３０】
左右の前脚フレーム２Ａ，２Ａの上端部と左右の前脚連結部３ａ，３ａとがそれぞれ連結されると共に左右の後脚フレーム２Ｂ，２Ｂの上端部と左右の後脚連結部４ａ，４ａとがそれぞれ連結され、脚フレーム２の上端部に、一体に形成された肘掛け部３及び背凭れ４が装着される。
【００３１】
右側の前脚フレーム２Ａと後脚フレーム２Ｂとに対し、及び、左側の前脚フレーム２Ａと後脚フレーム２Ｂとに対し、水平面に沿い且つ概ね前後方向に沿って配設されて前端が前脚フレーム２Ａに連結されると共に後端が後脚フレーム２Ｂに連結される架設フレーム７が設けられる。したがって、架設フレーム７は、左右一対のものとして設けられる。
【００３２】
架設フレーム７の前端及び後端は、前脚フレーム２Ａの後面や後脚フレーム２Ｂの前面に対して溶接によって連結される。
【００３３】
左右一対の架設フレーム７，７に対し、前側に座板受軸６が設けられ、後ろ側に回動支軸５が設けられる。
【００３４】
座板受軸６は、左右方向に沿って配設され、左右両端が左右一対の架設フレーム７，７にそれぞれ連結されてこれら左右一対の架設フレーム７，７の間に掛け渡されて設けられる。
【００３５】
回動支軸５は、座板受軸６の後方位置に於いて左右方向に沿って配設され、左右両端が左右一対の架設フレーム７，７にそれぞれ連結されてこれら左右一対の架設フレーム７，７の間に掛け渡されて設けられる。
【００３６】
回動支軸５及び座板受軸６の左右両端は、架設フレーム７の内側面に対して溶接によって連結される。
【００３７】
回動支軸５及び座板受軸６は、どちらも、左右両側の傾斜部５ａ，５ａ／６ａ，６ａとこれらに挟まれる水平部５ｂ／６ｂとが連続するように一本の金属製の丸型のパイプ材が折り曲げられて一体に形成される。
【００３８】
回動支軸５及び座板受軸６は、どちらも、左右方向における中間部分に設けられて左右方向に沿って水平に延びる水平部５ｂ／６ｂと、当該水平部５ｂ／６ｂの左右両端それぞれと連続／連接して外方に向かって斜め上方に向けて延びる左右の傾斜部５ａ，５ａ／６ａ，６ａを有するものとして形成される。
【００３９】
回動支軸５及び座板受軸６は、どちらも、左右一対の架設フレーム７，７の間に、平面視において左右方向に沿うように、且つ、正面視において中間部分の水平部５ｂ／６ｂ部分が下方に凹むように配設される。すなわち、回動支軸５及び座板受軸６は、どちらも、正面視において凹状を成すように形成されて配設される。
【００４０】
回動支軸５及び座板受軸６は、どちらも、座板１０の裏面側の形状に沿うように、凹状を成すように形成される。
【００４１】
回動支軸５は、水平部５ｂにおいて、座１を、使用位置と跳ね上げ位置との間で回動可能であるように支持する。
【００４２】
座板受軸６は、水平部６ｂにおいて、使用位置における座１の裏面（具体的には、座板１０の裏面側に形成される当接部１１）と当接して座１を下方から受け止めて支持する。
【００４３】
（座の構造）
本実施形態の座の構造は、座板１０と当該座板１０に支持されるクッション部材１２と当該クッション部材１２を被覆する表皮材１３とを有して表皮材１３の周縁部に備えられる締付け紐１４が引き締められることによって周縁部が絞られて表皮材１３が取り付けられる座の構造であり、締付け紐１４の引き締めに伴って絞られて次第に窄められる表皮材１３の周縁部を入り込ませて収容して前記周縁部及び締付け紐１４を外観に露出させないように隠す収容溝１５が座１の裏面側に設けられるようにしている。
【００４４】
座板１０の裏面側に、表皮材１３の周縁部及び締付け紐１４を収容して仕舞い込むための収容溝１５が設けられる。
【００４５】
図に示す例では、座板１０の裏面側が前後左右の四方から中央に向かって下向きに出張る（別言すると、隆起する）形態に形成され、前後左右の四方から中央に向かう傾斜面それぞれの途中に、前記傾斜面において開口し且つ前記傾斜面から水平方向内向きに凹む態様で収容溝１５が形成される。
【００４６】
収容溝１５は、座板１０の裏面側において、座板１０にとっての前後左右を一廻り連通する凹みとして形成される。
【００４７】
収容溝１５の態様は、座板１０の裏面側において当該座板１０の前後左右の四方の外方に向けて開口すると共に内方に向けて凹む態様であれば、図に示す例の形態には限定されない。
【００４８】
例えば、座板１０の裏面側が前後左右の四方の傾斜面を有して当該傾斜面の途中に形成される態様でなくても良く、座板１０が平板状の上側板部と平板状の下側板部とが上下方向において対向すると共に平面視においてこれら上側板部や下側板部よりも小さい狭間部がこれら上側板部と下側板部とによって上下方向において挟まれるように形成され、これら上側板部と下側板部との間の狭間部の厚さ分の間隙として座板１０を一廻りするように収容溝１５が形成されるようにしても良い。
【００４９】
座板１０には、また、収容溝１５の後端位置において、収容溝１５としての空間と連通するように端部収容部１０ａが形成される。
【００５０】
図に示す例では、端部収容部１０ａは、座板１０を上下方向に貫通する貫通孔として形成されるようにしている。しかしながら、端部収容部１０ａの態様は、締付け紐１４の端部が押し込まれて収容され得る態様であれば貫通孔に限定されるものではなく、収容溝１５としての空間と連通する凹部として形成されるようにしても良い。
【００５１】
表皮材１３は、周縁部に紐保持部１３ａが形成され、当該紐保持部１３ａの一部が途切れて開口１３ｂ，１３ｂが形成される。図に示す例では、開口１３ｂ，１３ｂは、紐保持部１３ａの後端部に形成される。
【００５２】
図に示す例では、紐保持部１３ａは、テープ状の布地やプラスチックシートなどのテープ材が丸められて形成される筒状部材が表皮材１３の周縁部に縫い付けられることによって設けられる。紐保持部１３ａは、具体的には例えば、テープ材の長手方向に沿う両側縁が合わせられて閉じられて筒状に形づくられてから両側縁が表皮材１３の周縁寄りの位置に縫い付けられることによって設けられる。
【００５３】
締付け紐１４は、紐保持部１３ａ内を挿通すると共に両端部分１４ａ，１４ａが開口１３ｂ，１３ｂから外部に引き出されて備えられる。なお、締付け紐１４は、例えば、紐保持部１３ａとしての筒状部材が表皮材１３に縫い付けられる際、テープ材が丸められながら供給される際にその内方に締付け紐１４が通過させられつつ一緒に供給されることにより、筒状部材内に、即ち紐保持部１３ａ内に、長手方向において移動自在に閉じ込められて備えられる。
【００５４】
紐保持部１３ａの態様は、表皮材１３の周縁部に締付け紐１４を保持し得る態様であれば、図に示す例の形態には限定されない。
【００５５】
例えば、紐保持部１３ａは、表皮材１３の周縁部分が折り返された上で周縁が縫い付けられることによって形成されるようにしても良い。
【００５６】
座板１０の表面側にクッション部材１２が載置された状態でクッション部材１２の表側から表皮材１３が被せられ、表皮材１３の周縁部分（尚、紐保持部１３ａを含む）が座板１０の裏面側に回り込まされる。このとき、表皮材１３の周縁部の紐保持部１３ａは、座板１０の裏面側において、収容溝１５の開口と座板１０の周縁との間に位置させられる。すなわち、収容溝１５の開口が、表皮材１３の内部に入らないように、表皮材１３の外部に在るように、紐保持部１３ａは収容溝１５の開口と座板１０の周縁との間に位置させられる。
【００５７】
表皮材１３がクッション部材１２の表面，クッション部材１２の側面及び座板１０の側端，並びに座板１０の裏面の周縁部を覆って包み込んでいる状態で、座板１０の裏面側において紐保持部１３ａの開口１３ｂ，１３ｂから外部に引き出されている締付け紐１４の両端部分１４ａ，１４ａが引っ張られて引き締められる。
【００５８】
表皮材１３の周縁部分が座板１０の裏面側に回り込まされてから締付け紐１４が引き締められることにより、表皮材１３が座板１０及びクッション部材１２をくるんだ状態で表皮材１３の周縁部が絞られる（言い換えると、窄められる）。
【００５９】
表皮材１３の周縁部は、締付け紐１４が引き締められて絞られる（言い換えると、窄められる）に従って収容溝１５へと入り込み、締付け紐１４が十分に引き締められたときには少なくとも紐保持部１３ａが外観上現れないように収容溝１５内に入り込む。
【００６０】
図に示す例のように座板１０の裏面側が傾斜面を有する形態に形成される場合には、締付け紐１４が引き締められると、表皮材１３の周縁部が絞られながら（言い換えると、窄められながら）傾斜面上を滑らかに移動して収容溝１５へとスムーズに入り込むようになる。
【００６１】
締付け紐１４は、十分に引き締められた状態で、紐保持部１３ａの開口１３ｂ，１３ｂから外部に引き出されている部分のうちの開口１３ｂ，１３ｂの近傍位置において、例えば、Ｕ字形やＯ字形の金属片がかしめられて相互に固定されたり、或いは、結ばれて相互に固定されたりする。これにより、締付け紐１４の引き締め状態が維持されて締付け紐１４による締め付け／締め上げ状態が保持される。
【００６２】
締付け紐１４のうちの紐保持部１３ａの開口１３ｂ，１３ｂから外部に引き出されている部分や、これらの部分同士を相互に固定するためのかしめ部材や結び目などは、収容溝１５と連通するように座板１０に形成される端部収容部１０ａに収容される。
【００６３】
ここで、収容溝１５はデザイン面ではできる限り細く形成されることが望まれる一方で締付け紐１４を固定するためのかしめ部材や結び目などの寸法が締付け紐１４が挿通している状態の紐保持部１３ａの寸法よりも大きい場合も考えられる。
【００６４】
この場合、締付け紐１４が挿通している状態の紐保持部１３ａが擦れ擦れで入り込むことができる寸法で収容溝１５が形成されるようにしても、端部収容部１０ａが設けられることにより、当該端部収容部１０ａへとかしめ部材や結び目などを収容することができ、締付け紐１４の端部も外観上現れないように隠すことができる。ただし、締付け紐１４を固定するためのかしめ部材や結び目などの寸法がそれほど大きくない場合には締め付け紐１４の端部も収容溝１５へと入り込ませて一緒に収容することができる場合もあり、そのような場合には端部収容部１０ａが設けられないようにしても良い。
【００６５】
以上のように構成された座の構造や椅子によれば、締付け紐１４が引き締められることによって座１を被覆する表皮材１３の周縁部が絞られて（言い換えると、窄められて）収容溝１５に収容され、前記周縁部及び締付け紐１４を外観に露出させないように隠すことができる。このため、追加的な部品を用いること無く、椅子を使用する際の快適性の向上や良好な外観の創出が可能になる。
【００６６】
なお、座の構造に関する上述の実施形態は本発明を実施する際の好適な形態の一例ではあるものの本発明の実施の形態が上述のものに限定されるものではなく、本発明の要旨を逸脱しない範囲において本発明は種々変形実施可能である。
【００６７】
例えば、上述の実施形態では座の構造の実施形態の一例が図１などに全体構造を示す椅子の座１の組み立てにおいて用いられている場合を例に挙げて説明したが、本発明に係る座の構造が適用され得る座や椅子は実施形態として図に示される座１や椅子に限られるものではなく、種々の形態を備える座や椅子に対して本発明は適用され得る。
【００６８】
また、上述の実施形態では座板１０にクッション部材１２が載置されるようにしているが、座板１０にクッション部材１２が載置されることは本発明において必須の構成ではない。座がクッション部材を含まず、表皮材が、座を構成する座板或いは座そのものとしての座板を被覆する場合にも本発明は適用可能である。
【００６９】
（座の回動部構造）
本実施形態の座の回動部構造は、座１の裏面側に形成される回動軸受部２０に、回動支軸５と着脱可能に係合する係合爪部２２が設けられると共に、回動軸受部２０と組み合わせられて回動支軸５に対して座１を回動可能に取り付ける結合部材３０に、回動支軸５の表面へと押し付けられて抵抗を発揮する摺動当接部３５が形成されるようにしている。
【００７０】
座板１０の裏面側の、前側に当接部１１が形成され、後ろ側に回動軸受部２０が形成される。
【００７１】
当接部１１は、左右方向に沿い且つ座板受軸６の周面の形状（言い換えると、周面の湾曲の程度）に合わせて凹む湾曲凹部１１ａを有するものとして形成される。
【００７２】
当接部１１は、座１が跳ね上げ位置から使用位置へと回動する際に使用位置において座板受軸６の水平部６ｂへと当接し、座１ががたつくことがなく安定して使用位置を維持することができるように座板受軸６の水平部６ｂによって下方から受け止められて支持される。
【００７３】
回動軸受部２０は、座板１０の裏面から突出する堤状本体部２１と、当該堤状本体部２１から延出する係合爪部２２と、堤状本体部２１に対して形成される嵌合穴部２３とを有する。
【００７４】
堤状本体部２１は、座板１０の裏面から、左右方向に沿って（座１が使用位置のときの姿勢を基準として）下向きに突出する堤(つつみ)状に形成される。以下、各部の向きは、座１が使用位置のときの姿勢を基準とする。
【００７５】
係合爪部２２は、堤状本体部２１の後面から後ろ向きに延出する態様で形成される。図に示す例では、左右方向において相互に離間して並ぶ一対の係合爪部２２，２２が設けられるようにしている。しかしながら、係合爪部２２の個数は、二個に限定されるものではなく、一個でも良く、或いは、三個以上でも良い。
【００７６】
係合爪部２２の先端部に凸部２２ａが形成され、座板１０が回動軸受部２０を介して回動支軸５へと組み付けられる際に当該凸部２２ａが回動支軸５を乗り越えて係止することによって回動支軸５に対して回動軸受部２０が（延いては、座板１０が）着脱可能な程度に係合する。
【００７７】
嵌合穴部２３は、堤状本体部２１の後面において開口し且つ後面から前向きに穿たれる態様で形成される。図に示す例では、左右一対の係合爪部２２，２２のそれぞれを挟むように左右方向において相互に離間して並ぶ三個の嵌合穴部２３が設けられるようにしている。しかしながら、嵌合穴部２３の個数は、三個に限定されるものではなく、一個若しくは二個でも良く、或いは、四個以上でも良い。
【００７８】
座板１０には、また、左右方向において並ぶ三個の嵌合穴部２３のうちの左右両端の嵌合穴部２３，２３それぞれの後方位置に、上下方向に穿たれてねじ穴２５が設けられる。
【００７９】
結合部材３０は、回動軸受部２０と組み合わされて取り付けられることにより、回動軸受部２０が回動支軸５と係合する状態を保持すると共に、回動支軸５に対する座板１０の回動に対して抵抗を付与するためのものである。
【００８０】
結合部材３０は、左右方向を長手方向とする本体部３１と、当該本体部３１から延出する嵌合凸部３２と、回動軸受部２０の係合爪部２２が入り込む穴隙部３３と、回動支軸５が入り込む軸貫通部３４と、摺動当接部３５とを有する。
【００８１】
嵌合凸部３２は、座板１０側の回動軸受部２０に設けられる嵌合穴部２３へと嵌合するものであり、本体部３１の前面から前向きに延出する態様で形成される。図に示す例では、回動軸受部２０の嵌合穴部２３の位置及び個数に合わせて左右方向において相互に離間して並ぶ三個の嵌合凸部３２が設けられる。
【００８２】
穴隙部３３は、座板１０側の回動軸受部２０の係合爪部２２が入り込む空間であり、本体部３１の前面から軸貫通部３４への進入を可能にする空隙として形成される。
【００８３】
軸貫通部３４は、結合部材３０の長手方向（即ち、左右方向）に沿って回動支軸５を入り込ませる空間として左右方向に沿って形成される。
【００８４】
摺動当接部３５は、軸貫通部３４へと向けて露出する摺動面３５ａを有するものとして、左右方向において並ぶ三個の嵌合凸部３２のうちの左右両端の嵌合凸部３２，３２それぞれの後方位置に設けられる。
【００８５】
図に示す例では摺動当接部３５はリブ状に形成されるようにしているが、摺動当接部３５の態様は図に示す例の形態には限定されない。具体的には例えば、摺動当接部３５は、面状に形成されるようにしても良い。
【００８６】
結合部材３０の左右端寄りの位置のそれぞれに形成される摺動当接部３５が回動支軸５の表面へと積極的に押し付けられるように形成され、回動支軸５に対する回動軸受部２０の（延いては、座板１０の）回動に対して摺動当接部３５の当接による抵抗が発揮される。
【００８７】
結合部材３０の左右端寄りの位置のそれぞれに形成される摺動当接部３５，３５各々の後方位置に、上下方向に穿たれてねじ穴３８が設けられる。
【００８８】
すなわち、図に示す例では、嵌合凸部３２，摺動当接部３５，及びねじ穴３８が前後方向に沿って並んで配設される。
【００８９】
座板１０の回動支軸５への取り付けは、結合部材３０が回動支軸５の水平部５ｂへと押し当てられた状態で回動軸受部２０が組み付けられることによって行われる。
【００９０】
具体的には例えば図１５や図１６に示すように、嵌合凸部３２を上側にした姿勢で結合部材３０が回動支軸５の前面側へと押し当てられた状態で起立姿勢の座板１０が上方から降ろされる。
【００９１】
そして、座板１０側の回動軸受部２０の係合爪部２２が結合部材３０の穴隙部３３へと入り込み、軸貫通部３４へと進入して係合爪部２２の凸部２２ａが回動支軸５を乗り越えて当該回動支軸５へと係合する。
【００９２】
また、結合部材３０の嵌合凸部３２が座板１０側の回動軸受部２０の嵌合穴部２３へと入り込んで嵌合する。
【００９３】
結合部材３０の左右のねじ穴３８，３８それぞれからねじ（図示していない）が差し入れられて座板１０側の左右のねじ穴２５，２５へと至ってねじ止めされることにより、回動軸受部２０と結合部材３０とが組み合わせられて結合され、これによって座板１０が回動支軸５に対して取り付けられる。
【００９４】
回動支軸５に対して結合部材３０と回動軸受部２０とが組み合わされて取り付けられた状態で、図に示す例では、結合部材３０の摺動当接部３５が回動支軸５の表面へと押し付けられて回動支軸５に対する回動軸受部２０の（延いては、座板１０の）回動に対して摺動当接部３５の摺動面３５ａの当接による抵抗が発揮される。
【００９５】
ここで、摺動当接部３５の形態及び寸法を適切に設定することにより、ねじ（図示していない）が最後までねじ込まれて締め付けられた状態で座１の回動に対して発揮される抵抗感が適度な大きさになるよう調整することができる。このため、組立の際にねじの締め付け具合を加減することによって抵抗の発揮のされ方を調節するという手間を掛ける必要が無い。
【００９６】
また、図に示す例では嵌合凸部３２，摺動当接部３５，及びねじ穴３８が前後方向に沿って並んで配設されるようにしているため、ねじ（図示していない）が最後までねじ込まれて締め付けられた状態において嵌合凸部３２とねじとに挟まれる摺動当接部３５へと働く拘束力が安定するので回動支軸５への摺動当接部３５の摺動面３５ａの当接によって発揮される抵抗力の振れ幅が無く若しくは殆ど無く、予定の抵抗力を正確に発揮させることが可能になる。
【００９７】
なお、図に示す例では、左右方向において並ぶ三個の嵌合凸部３２のうちの中央の嵌合凸部３２の後方位置に設けられる補助部３６は回動支軸５の表面へと積極的に押し付けられるようには形成されず、したがって回動支軸５に対する回動軸受部２０の（延いては、座板１０の）回動に対する補助部３６の当接による抵抗は発揮されない。具体的には例えば、回動支軸５の表面と補助部３６の軸貫通部３４へと向けて露出する面３６ａとの間に０．２〜０．４ ｍｍ 程度の隙間が形成されるようにすることにより、回動支軸５と補助部３６との間には抵抗が発揮されないようにすることができる。
【００９８】
ただし、座板１０の回動に対して適切な抵抗を発揮させるようにするため、必要に応じ、補助部３６も回動支軸５の表面へと積極的に押し付けられるように形成されて座板１０の回動に対して補助部３６の面３６ａの当接による抵抗が発揮されるようにしても良い。
【００９９】
以上のように構成された座の回動部構造や椅子によれば、座１を取り付けるための部材３０に抵抗を発揮する摺動当接部３５が形成されるようにしているので、追加的な部品を使うこと無く且つ座１の取り付け自体に必要な組み立て工程と同時に座１の回動に対して抵抗を発揮する仕組みを組み込むことができる。このため、座の組み立ての効率化を図り、座の回動部構造としての有用性や汎用性の向上を図ることが可能になる。
【０１００】
なお、座の回動部構造に関する上述の実施形態は本発明を実施する際の好適な形態の一例ではあるものの本発明の実施の形態が上述のものに限定されるものではなく、本発明の要旨を逸脱しない範囲において本発明は種々変形実施可能である。
【０１０１】
例えば、上述の実施形態では座の回動部構造の実施形態の一例が図１などに全体構造を示す椅子の座１の回動機構として適用される場合を例に挙げて説明したが、本発明に係る座の回動部構造が適用され得る座や椅子は実施形態として図に示される座１や椅子に限られるものではなく、種々の形態を備える座や椅子に対して本発明は適用され得る。
【符号の説明】
【０１０２】
１    座
２    脚フレーム
２Ａ  前脚フレーム
２Ｂ  後脚フレーム
２ｃ  キャスタ
３    肘掛け部
３ａ  前脚連結部
４    背凭れ
４ａ  後脚連結部
５    回動支軸
５ａ  傾斜部
５ｂ  水平部
６    座板受軸
６ａ  傾斜部
６ｂ  水平部
７    架設フレーム
１０    座板
１０ａ  端部収容部
１１    当接部
１１ａ  湾曲凹部
１２    クッション部材
１３    表皮材
１３ａ  紐保持部
１３ｂ  開口
１４    締付け紐
１４ａ  端部分
１５    収容溝
２０    回動軸受部
２１    堤状本体部
２２    係合爪部
２２ａ  凸部
２３    嵌合穴部
２５    ねじ穴
３０    結合部材
３１    本体部
３２    嵌合凸部
３３    穴隙部
３４    軸貫通部
３５    摺動当接部
３５ａ  摺動面
３６    補助部
３６ａ  露出する面
３８    ねじ穴
【図１】
2020062353.tif 000003
【図２】
2020062353.tif 000004
【図３】
2020062353.tif 000005
【図４】
2020062353.tif 000006
【図５】
2020062353.tif 000007
【図６】
2020062353.tif 000008
【図７】
2020062353.tif 000009
【図８】
2020062353.tif 000010
【図９】
2020062353.tif 000011
【図１０】
2020062353.tif 000012
【図１１】
2020062353.tif 000013
【図１２】
2020062353.tif 000014
【図１３】
2020062353.tif 000015
【図１４】
2020062353.tif 000016
【図１５】
2020062353.tif 000017
【図１６】
2020062353.tif 000018